(57)【要約】【課題】  発泡体セルの切削粉を効果的に除去する帯電装置、この帯電装置を備えたカートリッジ、および、画像欠陥の発生が抑制された画像形成装置を提供する。【解決手段】  被電荷付与体の表面に接触して回転しながら該被電荷付与体の表面に電荷を付与する電荷付与ロールと、前記電荷付与ロールの周面に接触し、従動回転する発泡体からなるクリーニングロールと、前記電荷付与ロールの周面に接触する、表面粗さ（Ｒｚ）が３０μｍ以上２００μｍ未満の有機高分子化合物のシートとを備えた。【選択図】        図２
2008225065.tif 000002
【特許請求の範囲】
【請求項１】
被電荷付与体の表面に接触して回転しながら該被電荷付与体の表面に電荷を付与する電荷付与ロールと、
前記電荷付与ロールの周面に接触し、従動回転する発泡体からなるクリーニングロールと、
前記電荷付与ロールの周面に接触する、表面粗さ（Ｒｚ）が３０μｍ以上２００μｍ未満の有機高分子化合物のシートとを備えたことを特徴とする帯電装置。
【請求項２】
前記シートが、該シートの面部分で前記電荷付与ロールの周面に接触するものであることを特徴とする請求項１記載の帯電装置。
【請求項３】
前記電荷付与ロールの表面が、前記シートと前記クリーニングロールとのうちの少なくとも一方の材料と同じ材料からなるものであることを特徴とする請求項１記載の帯電装置。
【請求項４】
前記電荷付与ロールが、表面がフッ素樹脂からなるものであり、
前記クリーニングロールが、発泡ウレタンからなるものであることを特徴とする請求項１記載の帯電装置。
【請求項５】
表面に像を保持する像保持体；
被電荷付与体の表面に接触して回転しながら該被電荷付与体の表面に電荷を付与する電荷付与ロールと、前記電荷付与ロールの周面に接触し、従動回転する発泡体からなるクリーニングロールと、前記電荷付与ロールの周面に接触する、表面粗さ（Ｒｚ）が３０μｍ以上２００μｍ未満の有機高分子化合物のシートとを有する帯電装置；および
前記帯電装置によって帯電された像保持体の表面に形成される静電潜像をトナーで現像する現像装置；
を備えたことを特徴とするカートリッジ。
【請求項６】
表面に像を保持する像保持体；
被電荷付与体の表面に接触して回転しながら該被電荷付与体の表面に電荷を付与する電荷付与ロールと、前記電荷付与ロールの周面に接触し、従動回転するクリーニングロールと、上記電荷付与ロールの周面に接触する、表面粗さ（Ｒｚ）が３０μｍ以上２００μｍ未満の有機高分子化合物のシートとを有する帯電装置；および
上記帯電装置によって帯電された像保持体に静電潜像を形成し、その静電潜像を現像して現像像を形成する像形成部；
を備えたことを特徴とする画像形成装置。
【発明の詳細な説明】
【技術分野】
【０００１】
本発明は、電荷付与ロールにより被電荷付与体の表面に電荷を付与する帯電装置、帯電装置を備えたカートリッジ、および画像形成装置に関する。
【背景技術】
【０００２】
従来より、表面にトナーによる現像像の保持が可能な像保持体の表面を帯電器により帯電して静電潜像を形成し、形成した静電潜像をトナーを含む現像剤で現像して得た現像像を記録媒体上に転写および定着させることで記録媒体上に画像を形成する画像形成装置が知られている。
【０００３】
この様な画像形成装置に備えられている帯電器の一例として、回転する像保持体の表面に接触し、従動回転しながらこの像保持体の表面に電荷を付与する電荷付与ロールが知られている。
【０００４】
この電荷付与ロールには、像保持体に付着していた不要物が移行してくる場合があり、電荷付与ロールに不要物が付着したままになっていると、帯電不良等による画像欠陥が長期的に引き起こされるおそれがある。
【０００５】
そこで、電荷付与ロールに発泡ウレタン製や発泡ポリスチレン製の樹脂発泡体からなるクリーニングロールを接触させ従動回転させることで、電荷付与ロールに付着した不要物を除去する提案がなされている（例えば、特許文献１参照）。
【０００６】
上記提案のクリーニングロールは、電荷付与ロールに与えるストレスが少なく、長期クリーニング性に優れるという特性を有している。
【特許文献１】特開平０５−２９７６９０号公報
【発明の開示】
【発明が解決しようとする課題】
【０００７】
しかしながら、上述の、樹脂発泡体からなるクリーニングロールには、製造時や使用時に破壊された発泡体セルの切削粉が付着している場合があり、その切削粉が電荷付与ロールに移行して付着したままとなると、やはり、帯電不良等による画像欠陥が長期的に発生する。
【０００８】
本発明は、上記事情に鑑み、発泡体セルの切削粉を効果的に除去する帯電装置、この帯電装置を備えたカートリッジ、および、画像欠陥の発生が抑制された画像形成装置を提供することを目的とする。
【課題を解決するための手段】
【０００９】
上記目的を達成するための本発明の帯電装置は、
被電荷付与体の表面に接触して回転しながらこの被電荷付与体の表面に電荷を付与する電荷付与ロールと、
上記電荷付与ロールの周面に接触し、従動回転する発泡体からなるクリーニングロールと、
上記電荷付与ロールの周面に接触する、表面粗さ（Ｒｚ）が３０μｍ以上２００μｍ未満の有機高分子化合物のシートとを備えたことを特徴とする。
【００１０】
本発明の帯電装置では、クリーニングロールから電荷付与ロールに移行してくる発泡体セルの切削粉を電荷付与ロールから除去するために、有機高分子化合物のシートを備え、さらには、切削粉の中でも画質に悪影響を与える、粒径が２００μｍ以上の切削粉を電荷付与ロール表面から除去すべく、このシートの表面粗さの上限を２００μｍ未満にするとともに、シートの表面が滑らか過ぎることによる目詰まりで切削粉の除去性能が低下しないように、シートの表面粗さの下限を３０μｍ以上としている。したがって、本発明の帯電装置によれば、画質に悪影響を与える発泡体セルの切削粉を効果的に除去することができる。
【００１１】
ここで、本発明の帯電装置の上記シートが、このシートの面部分で上記電荷付与ロールの周面に接触するものであることが好ましい。
【００１２】
この様に、シートの面部分で電荷付与ロールの周面に接触するようにすると、シートの先端で接触する場合と比べ、電荷付与ロールに与えるダメージを軽減することができる。
【００１３】
また、本発明の帯電装置の上記電荷付与ロールの表面が、上記シートと上記クリーニングロールとのうちの少なくとも一方の材料と同じ材料からなるものであることも好ましい態様である。
【００１４】
この様にすると、電荷付与ロールの材料とは異なる材料の部材が電荷付与ロールと擦れ合うことによる、この電界による切削粉の電荷付与ロールへの移動も抑えることができ、これにより、切削粉の除去をより一層効果的に行うことができる。
【００１５】
また、本発明の帯電装置の上記電荷付与ロールが、表面がフッ素樹脂からなるものであり、上記クリーニングロールが、発泡ウレタンからなるものであることも好ましい態様である。
【００１６】
切削粉を電荷付与ロールに向かわせる電界が発生する、発泡ウレタンからなるクリーニングロールと、表面がフッ素樹脂からなる電荷付与ロールとの組み合わせにおいても、電荷付与ロールからの切削粉の除去を効果的に行うことができる。
【００１７】
上記目的を達成するための本発明のカートリッジは、
表面に像を保持する像保持体；
被電荷付与体の表面に接触して回転しながらこの被電荷付与体の表面に電荷を付与する電荷付与ロールと、上記電荷付与ロールの周面に接触し、従動回転する発泡体からなるクリーニングロールと、上記電荷付与ロールの周面に接触する、表面粗さ（Ｒｚ）が３０μｍ以上２００μｍ未満の有機高分子化合物のシートとを有する帯電装置；および
上記帯電装置によって帯電された像保持体の表面に形成される静電潜像をトナーで現像する現像装置；
を備えたことを特徴とする。
【００１８】
上記目的を達成するための本発明の画像形成装置は、
表面に像を保持する像保持体；
被電荷付与体の表面に接触して回転しながらこの被電荷付与体の表面に電荷を付与する電荷付与ロールと、上記電荷付与ロールの周面に接触し、従動回転する発泡体からなるクリーニングロールと、上記電荷付与ロールの周面に接触する、表面粗さ（Ｒｚ）が３０μｍ以上２００μｍ未満の有機高分子化合物のシートとを有する帯電装置；および
上記帯電装置によって帯電された像保持体に静電潜像を形成し、その静電潜像を現像して現像像を形成する像形成部；
を備えたことを特徴とする。
【００１９】
本発明の画像形成装置によれば、画像欠陥の発生を抑制することができる。
【発明の効果】
【００２０】
本発明によれば、発泡体セルの切削粉を効果的に除去する帯電装置、この帯電装置を備えたカートリッジ、および、画像欠陥の発生が抑制された画像形成装置を提供することができる。
【発明を実施するための最良の形態】
【００２１】
以下、本発明の実施形態について説明する。
【００２２】
図１は、本発明の画像形成装置の第１実施形態の概念構成図である。
【００２３】
図１に概念が示されているプリンタ１は、筐体１０の内部にＹ、Ｍ、Ｃ、Ｋ各色用のカートリッジ２Ｙ、２Ｍ、２Ｃ、２Ｋと、Ｙ、Ｍ、Ｃ、Ｋ各色用の露光器が組み込まれた露光ユニット３と、記録用紙１００が収容された用紙カセット４と、用紙カセット４から引き出された記録用紙１００をベルト５０上に載せて矢印Ａ方向に搬送するベルト搬送部５と、記録用紙１００上に重ね合わされたトナー像を記録用紙に加熱定着させる定着器６とを構成要素としている。
【００２４】
ベルト搬送部５は、ベルト５０と、このベルト５０を循環移動させるためにこのベルト５０が掛け回された回転ロール５１とからなる。尚、図示の煩雑さを防ぐために、用紙カセット４から記録用紙１００を引き出してベルト搬送部５へ送り込む給紙部についての図示、また、像保持体２０Ｋの表面に形成されたトナー像をベルト搬送部５の上に載置された記録用紙１００上に転写するための、実際にはベルト５０の内側に配備されている転写ロールの図示は省略している。
【００２５】
このプリンタ１では、不図示の操作パネルにおいてプリント動作の開始が指示されると、用紙カセット４に収容されている記録用紙１００が給紙部によって引き出され、引き出された記録用紙１００は、ベルト搬送部５のベルト５０上に載置され、定着装置６に到達するまでの間に、Ｙ、Ｍ、Ｃ、Ｋ各色用のカートリッジ２Ｙ、２Ｍ、２Ｃ、２Ｋそれぞれで形成された各色のトナー像が、Ｙ色、Ｍ色、Ｃ色、およびＫ色の順で記録用紙１００上に転写される。その後、各色トナー像が積み重ねられてなる多色トナー像は、定着器６において加熱および加圧され、多色トナー像は記録用紙１００上に定着される。その後、多色トナー像が定着された記録用紙１００は、筐体の上面１０ａに排出される。
【００２６】
図２は、本発明のカートリッジの第１実施形態の構成断面図である。
【００２７】
図２には、Ｙ、Ｍ、Ｃ、Ｋ各色用のカートリッジ２Ｙ、２Ｍ、２Ｃ、２ＫのうちのＫ色用のカートリッジ２Ｋの断面が示されている。これらＹ、Ｍ、Ｃ、Ｋ各色用のカートリッジ２Ｙ、２Ｍ、２Ｃ、２Ｋは、全て同じ構造となっており、以下では、Ｋ色用のカートリッジ２Ｋを代表的に取りあげて説明する。
【００２８】
Ｋ色用のカートリッジ２Ｋは、像保持体２０Ｋ、帯電装置２１Ｋ、現像装置２２Ｋ、およびクリーナ２３Ｋを構成要素としている。
【００２９】
クリーナ２３Ｋは、像保持体２０Ｋの表面に当接するブレード２３０Ｋと土台２３１Ｋとからなる。
【００３０】
帯電装置２１Ｋは、本発明の帯電装置の第１実施形態であり、詳しくは後述するが、矢印Ｂ方向に回転する像保持体２０Ｋに接触して従動回転しながらこの像保持体２０Ｋの表面を帯電する帯電ロール２１０Ｋと、この帯電ロール２１０Ｋに接触し、その接触部分でこの帯電ロール２１０Ｋの回転方向（矢印Ｄ方向）と同じ回転方向（矢印Ｅ方向）に回転する、この帯電ロール２１０Ｋの表面から付着物を除去する発泡ウレタンロール２１１Ｋと、帯電ロール２１０Ｋに面部分で接触した、クリーナ２３Ｋの土台２３１Ｋに一部が固定されたシート２１２Ｋとを有している。
【００３１】
現像装置２２Ｋは、Ｋ色のトナー２００を収容したハウジング２２１Ｋと、ハウジング２２１Ｋに収容されているトナー２００を表面に保持しながら矢印Ｃの向きに回転する現像ロール２２０Ｋとを有している。尚、図２には、Ｋ色用の露光器から照射された露光光が一点鎖線で示されている。また、本実施形態における現像装置２２Ｋおよび露光ユニット３が、本発明にいう像形成部の一例に相当する。
【００３２】
このカートリッジ２Ｋでは、上述したようにＫ色のトナー像の形成が行われており、まず、帯電装置２１Ｋによって、矢印Ｂの向きに回転する像保持体２０Ｋの表面に所定の電荷が付与されて、上述の露光ユニット３うちのＫ色用の露光器からＫ色用の画像に応じた露光光が照射されて像保持体２０Ｋの表面に静電潜像が形成される。その後、この静電潜像は、矢印Ｃ方向に回転する現像ロール２２０Ｋに保持されたＫ色トナーによって現像され、この像保持体２０Ｋの表面にはＫ色トナー像が形成される。表面に形成されたＫ色のトナー像を記録用紙上に転写した後、像保持体２０Ｋの表面は、クリーナ２３Ｋによってクリーニングされる。
【００３３】
このプリンタ１では、このカートリッジ２Ｋがプリンタ１の内部から引出自在に装填されており、像保持体２０Ｋ、帯電装置２１Ｋ、あるいは現像装置２２Ｋに起因した画像欠陥が発生している場合には、ユーザの手でカートリッジごと交換できるようになっている。
【００３４】
図３は、本発明の帯電装置の第１実施形態の拡大図である。
【００３５】
図３には、本発明の帯電装置の第１実施形態である帯電装置２１Ｋを、現像ロール２２０Ｋ側から見た場合が示されている。この帯電装置２１Ｋは、像保持体２０Ｋに接触して従動回転する、表面がフッ素系アクリル樹脂からなる帯電ロール２１０Ｋと、この帯電ロール２１０Ｋに接触して回転する発泡ウレタンロール２１１Ｋと、帯電ロール２１０Ｋに面部分で接触する、ウレタン樹脂からなるシート２１２Ｋとで構成されている。
【００３６】
この帯電装置２１Ｋでは、像保持体２０Ｋに接触して従動回転している帯電ロール２１０Ｋに、像保持体２０Ｋに付着した付着物が移行しても除去できるように、クリーニングロールとして発泡体ウレタンロール２１１Ｋが帯電ロール２１０Ｋに接触して従動回転している。帯電ロール２１０Ｋをクリーニングするクリーニングロールとして発泡材が採用されているのは、帯電ロール２１０Ｋに与えるストレスが少なく、長期クリーニング性に優れているからである。
【００３７】
ところで、この帯電装置２１Ｋでは、トナーや外添剤の付着を防止するために表面がフッ素系アクリル樹脂からなる帯電ロール２１０Ｋを用いており、この帯電ロール２１０Ｋとこの帯電ロール２１０Ｋに従動回転する発泡体ウレタンロール２１１Ｋとの間には、発泡ウレタンロール２１１Ｋに付着している切削粉を帯電ロール２１０Ｋに向かわせる電界が発生する。そこで、この帯電装置２１Ｋでは、帯電ロール２１０Ｋの表面からこの切削粉を除去するために、帯電ロール２１０Ｋに面部分で接触する、表面粗さ（Ｒｚ）が３０μｍのウレタン樹脂からなるシート２１２Ｋが備えられている。シートの表面粗さが３０μｍに設定されているのは、帯電ロール２１０Ｋに付着した切削粉のうち画質に悪影響を与える、粒径２００μｍ以上の切削粉を除去するためと、シートの表面粗さが少ない、すなわちシートの表面が滑らか過ぎることでシート表面に発生した目詰まりによって切削粉の除去性能が低下しないようにするためである。これにより、本実施形態の帯電装置２１Ｋによれば、画質に悪影響を与える発泡体セルの切削粉を効果的に除去することができる。本実施形態のプリンタ１によれば、画像欠陥の発生を抑制することができる。
【００３８】
次に、本発明の画像形成装置の第２実施形態について説明する。
【００３９】
第２実施形態であるプリンタと、第１実施形態であるプリンタ１との間の相違点は、帯電装置の帯電ロールの材料が異なる点であるので、以下ではこの点についてのみ説明する。尚、本実施形態のプリンタの外観および構成は、第１実施形態のプリンタ１の外観および構成と同じであるので図示および説明は省略する。
【００４０】
第１実施形態である帯電装置２１Ｋの帯電ロール２１０Ｋがフッ素系アクリル樹脂からなるものであるのに対し、本発明の画像形成装置の第２実施形態であるプリンタに備えられている、本発明の帯電装置の第２実施形態では、ウレタン樹脂製の帯電ロールが使用されている。この様に、ウレタン樹脂製のシート２１２Ｋに接触する帯電ロールについてもウレタン樹脂製とすることで、摩擦帯電性の差による電界の発生を防止し、帯電ロールからの切削粉の除去に寄与することができる。したがって、本発明の画像形成装置の第２実施形態のプリンタによれば、画像欠陥の発生を抑制することができる。
【００４１】
尚、以上に説明した実施形態では、シート２１２Ｋの材料としてウレタン樹脂を例に挙げて説明したが、本発明では、表面粗さ（Ｒｚ）が３０μｍ以上２００μｍ未満の有機高分子化合物のシートであればこれに限るものではなく、材料にポリイミド樹脂を用いてもよく、また、シート２１２Ｋの表面粗さ（Ｒｚ）が３０μｍの場合を例に挙げて説明したが、本発明では、シートの表面粗さ（Ｒｚ）が３０μｍ以上２００μｍ未満であれば３０μｍに限るものではない。さらには、シート２１２Ｋの面部分で帯電ロールの周面に接触する場合を例に挙げて説明したが、シート２１２Ｋが、その先端で帯電ロールに接触するものであっても、本発明の基本的な効果を減却するものではない。
【００４２】
次に、本発明に関する実施例（１〜４）および比較例（１〜３）について説明する。
【００４３】
これら実施例および比較例は、Ｆｕｊｉ  Ｘｅｒｏｘ社製のＤｏｃｕｐｒｉｎｔ  ２０５に備えられている帯電装置を、被電荷付与体である感光体の表面に接触して従動回転する帯電ロールと、この帯電ロールに接触して従動回転する、発泡ウレタンからなるクリーニングロールと、帯電ロールに面部分で接触するシートとからなる、以下に説明する条件設定が可能な帯電装置に交換した改造機において、帯電装置の構成要件をそれぞれ異ならせて高温高湿である室温２８℃湿度８５％の環境下と低温低湿である室温１０℃湿度１５％の環境下との双方で２００００枚プリントした後にプリントしたそれぞれのハーフトーン画像における‘色点発生の有無’、および、‘帯電ロールへのトナー・外添剤の固着の有無’について評価したものである。
【００４４】
実施例１は、ウレタン樹脂製の帯電ロールに接触する、ウレタン樹脂製のシートの表面粗さ（Ｒｚ）を３０μｍとした場合であり、実施例２は、シートの表面粗さ（Ｒｚ）を１９０μｍとした以外は、実施例１と同じ条件とした。実施例３は、シートを表面粗さ（Ｒｚ）が３０μｍのポリイミド樹脂製とした以外は実施例１と同じ条件とした。実施例４は、フッ素系アクリル樹脂製の帯電ロールに接触する、ウレタン樹脂製のシートの表面粗さ（Ｒｚ）を３０μｍとした場合であり、比較例１は、ウレタン樹脂製のシートの表面粗さ（Ｒｚ）を２５μｍとした以外は実施例１と同じ条件とし、比較例２は、ウレタン樹脂製のシートの表面粗さ（Ｒｚ）を５００μｍとした以外は実施例１と同じ条件とした。比較例３は、フッ素系アクリル樹脂製の帯電ロールに接触する、ウレタン樹脂製のシートの表面粗さ（Ｒｚ）を２５μｍとした。
【００４５】
評価は、ハーフトーン画像上に発生した‘色点’が０個であれば‘未発生’、１個以上５個未満の場合は‘多少発生’、５個以上の場合は‘発生’としている。‘帯電ロールへのトナー・外添剤の固着’が０箇所であれば‘なし’、１箇所以上５箇所未満の場合は‘多少あり’、５箇所以上の場合は‘あり’としている。‘判定’は、高温高湿下および低温低湿下での‘色点’の発生と‘帯電ロールへのトナー・外添剤の固着’の有無とを総合的に判断し、問題なしを‘◎’、ほぼ問題なしを‘○’、許容範囲内を‘△’、問題ありを‘×’とした。
【００４６】
【表１】
2008225065.tif 000003
【００４７】
表１には、上述の実施例（１〜４）および比較例（１〜３）それぞれについて‘帯電ロールの材料’、‘クリーニングロールの材料’、‘シートの材料’、‘高温高湿下の色点発生有無’、‘低温低湿下の色点発生有無’、‘帯電ロールへのトナー・外添剤固着の有無’、および‘判定’の内容が示されており、実施例１では、‘帯電ロールへのトナー・外添剤固着’は多少見られるものの、‘高温高湿下’および‘低温低湿下’での‘色点発生’は見られず、‘判定’は‘○’となっている。実施例２では、‘高温高湿下’および‘低温低湿下’における‘色点発生’と、‘帯電ロールへのトナー・外添剤固着’との双方が見られず、‘判定’は‘◎’となっている。比較例１では、‘高温高湿下’での‘色点発生’は見られないものの、‘低温低湿下’での‘色点発生’および‘帯電ロールへのトナー・外添剤固着’が見られ、‘判定’は‘×’となっており、比較例２では、‘帯電ロールへのトナー・外添剤固着’は見られないものの、‘高温高湿下’および‘低温低湿下’での‘色点発生’が見られ、‘判定’は‘×’となっている。これら実施例１、実施例２、比較例１、および比較例２からは、シートの表面粗さが細かいと、トナーや外添剤が帯電ロールに固着し易くなることが読みとれるが、これは、シートの表面粗さが細かいと、シート表面にトナー等が残留し易くなり、表面に残留したトナーが帯電ロールとの摺擦によりフィルミングを起こすためと考えられる。また、シートの表面粗さ（Ｒｚ）を３０μｍ以上２００μｍ未満とすることで、クリーニングロールの材料である発泡ウレタンの切削粉が帯電ロールに付着して引き起こされる‘色点発生’を防止できることが確認できた。
【００４８】
表面粗さ（Ｒｚ）が３０μｍのポリイミド樹脂製のシートを使用している実施例３では、‘高温高湿下’における‘色点発生’は見られないものの、‘低温低湿下’における‘色点発生’および‘帯電ロールへのトナー・外添剤固着’が多少見られる。しかしながら、‘判定’は‘△’となっている。
【００４９】
実施例３と実施例１からは、シートの材料をウレタン樹脂とする方が、ポリイミド樹脂とする場合に比べて低温低湿下における、帯電ロールからの切削粉の除去性に優れることが確認された。
【００５０】
ウレタン樹脂製のシートの表面粗さ（Ｒｚ）が３０μｍであるものの、フッ素系アクリル樹脂からなる帯電ロールを使用した実施例４では、‘高温高湿下’における‘色点発生’および‘帯電ロールへのトナー・外添剤固着’は見られないものの、‘低温低湿下’において‘色点発生’が多少見られる。しかしながら、‘判定’は‘△’となっている。フッ素系アクリル樹脂からなる帯電ロールを使用しているものの、表面粗さ（Ｒｚ）が２５μｍのウレタン樹脂製のシートを使用している比較例３では、‘帯電ロールへのトナー・外添剤固着’は見られないものの、‘高温高湿下’および‘低温低湿下’において‘色点発生’が見られ、‘判定’は‘×’となっている。比較例３では、比較例１と比べて、帯電ロールの材料が、トナー等が付着し難いフッ素系アクリル樹脂にウレタン樹脂から変更されていることで、シートの表面が粗さが細かくても‘帯電ロールへのトナー・外添剤固着’については改善されているものの、帯電ロール側に切削粉を向かわせる電界が発生することと、シートの表面粗さが２５μｍと細かいことで‘高温高湿下’における‘色点発生’については悪化している。比較例３に対し、シートの表面粗さが３０μｍである点のみが異なる実施例４では、‘高温高湿下’および‘低温低湿下’における‘色点発生’について改善が図られている。これら実施例４と比較例３の結果から、帯電ロールへのトナー等の付着を防止するために帯電ロールの表面をフッ素系アクリル樹脂からなるものとする場合には、シートの表面粗さを３０μｍとすることで、帯電ロール側に切削粉を向かわせる向きに発生する電界に抗してこの切削粉を帯電ロールから除去できることが確認された。
【図面の簡単な説明】
【００５１】
【図１】本発明の画像形成装置の第１実施形態の概略構成図である。
【図２】本発明のカートリッジの第１実施形態の構成断面図である。
【図３】本発明の帯電装置の第１実施形態の拡大図である。
【符号の説明】
【００５２】
１  プリンタ
１０  筐体
２Ｙ、２Ｍ、２Ｃ、２Ｋ  カートリッジ
２０Ｋ  像保持体
２１Ｋ  帯電装置
２１０Ｋ  帯電ロール
２１１Ｋ  発泡体ウレタンロール
２１２Ｋ  シート
２２Ｋ  現像装置
２２０Ｋ  現像ロール
２２１Ｋ  ハウジング
２３  クリーナ
２３０  ブレード
２３１  土台
４  用紙カセット
５  ベルト搬送部
【図１】
2008225065.tif 000004
【図２】
2008225065.tif 000005
【図３】
2008225065.tif 000006